(57)【要約】【課題】開いた、すなわち実際の使用位置から、閉じた、すなわち格納位置に容易に下方に向く椅子のための書込みテーブルを提供すること。【解決手段】椅子用可動書込みテー−ブルはテーブル支持部に取り付けられたテーブルから成る。２つの回転ヒンジは、テーブルに連結しかつ一端部に支持し、かつ他端部の支持ブロックに連結される。支持ブロックの他端は積重ね椅子に連結可能である。２つの回転ヒンジは、書込みテーブルが開いた位置及び閉じた位置に位置づけ得るように水平面及び鉛直面の回りで該書込みテーブルを回転可能にする。テーブルは類似した書込みテーブルを装備した椅子を鉛直に積み重ねることを可能にする支持ブロックに隣接する鉛直位置に位置づけ得る。書込みテーブルがその閉じた位置にある時、この書込みテーブルはその鉛直位置から傾斜した位置まで自動的に移動することによって椅子の鉛直な積み重ねを可能にする。【選択図】図１
2006116312.tif 000002
【特許請求の範囲】
【請求項１】
椅子用書込みテーブルであって、
第１側部及び第２側部を具備するテーブル支持部と、
前記テーブル支持部の第１側部に取り付けられたテーブルと、
第１連結点及び第２連結点を有する２つの回転ヒンジであって、前記テーブル支持部の第２側部は２つの前記回転ヒンジの第１側部に連結される、２つの前記回転ヒンジと、
第１端部及び第２端部を具備する支持ブロックであって、前記支持ブロックの第１端部は２つの前記回転ヒンジの第２連結店に連結され、かつ前記支持ブロックの第２端部は前記椅子に連結される、前記支持ブロックと、を備え、
前記書込みテーブルは水平面及び鉛直面の回りで回転可能である椅子用書込みテーブル。
【請求項２】
前記テーブル支持部の第２側部は、２つの前記回転ヒンジの第１連結点が受容される第１空洞を備える、請求項１に記載の可動書込みテーブル。
【請求項３】
前記テーブル支持部の第２側部に形成された前記第１空洞は閉鎖領域を形成するスロットが形成された穴を備える、請求項２に記載の可動書込みテーブル。
【請求項４】
２つの前記回転ヒンジの第１連結点は第１ブロックスタッドを備え、前記第１ブロックスタッドは前記テーブル支持部の第２側部に含まれる前記空洞内のスロットが形成された穴内に受容される、請求項３に記載の可動書込みテーブル。
【請求項５】
２つの前記回転ヒンジの第１連結点は前記テーブル支持部の空洞内に受容され、かつ制止ネジ、ばね及び位置決めピンによって前記テーブルに取り付けられる、請求項２に記載の可動書込みテーブル。
【請求項６】
２つの前記回転ヒンジの第２連結点は、前記支持ブロックの第１端部が受容される第２空洞を備える、請求項１に記載の可動書込みテーブル。
【請求項７】
２つの前記回転ヒンジの第２連結点に形成された前記第２空洞をは第１及び第２対向閉鎖スタッドを備える、請求項６に記載の可動書込みテーブル。
【請求項８】
前記支持ブロックの第１端部は第２及び第３端部を備え、かつ、２つの前記回転ヒンジの第２連結点の第２空洞内に受容され、及び閉鎖ネジによって２つの前記回転ヒンジに取り付けられる、請求項７に記載の可動書込みテーブル。
【請求項９】
前記テーブルは開いた位置まで回転することができ、前記テーブルは前記水平面に位置づけられる、請求項１に記載の可動書込みテーブル。
【請求項１０】
前記テーブルは閉じた位置まで回転することができ、前記テーブルは前記鉛直面に位置づけられる、請求項１に記載の可動書込みテーブル。
【請求項１１】
椅子用可動書込みテーブルであって、
テーブル支持部を具備するテーブルと、
第１連結点及び第２連結点を有する２つの回転ヒンジであって、前記テーブル支持部は２つの前記回転ヒンジの第１連結点に連結される、２つの前記回転ヒンジと、
第１端部及び第２端部を具備する支持ブロックであって、前記第２ブロックの第１端部は２つの前記回転ヒンジの第２連結点に連結され、前記支持ブロックの第２端部は第１椅子に連結され、前記テーブルが、類似した書込みテーブルを具備する第２椅子を前記第１椅子に積み重ね可能とする前記支持ブロックに隣接して鉛直位置に位置づけ得るように水平面及び鉛直面の回りで回転可能である、前記支持ブロックと、を備える可動書込みテーブル。
【請求項１２】
前記書込みテーブルは、前記第２椅子が前記第１椅子に鉛直に積み重ねられる時に前記鉛直位置から傾斜した位置まで自動的に開園する、請求項１２に記載の可動書込みテーブル。
【発明の詳細な説明】
【技術分野】
【０００１】
本願は、参考文献としてその全内容を参考文献として援用する、２００４年１０月１８日付けで出願した米国仮特許出願６０／６１９，７４２号の利益を請求する。
【０００２】
本発明は、積み重ね可能な可動書込みテーブルに関する。
【背景技術】
【０００３】
積み重ね可能な椅子は、会合及び会談室、公会堂、多目的組立ホール、一時的に公会堂に転換し得る屋内運動場のようなあらゆる種類の教育的及び商用装置に広く使用される。積重ね可能な椅子は格納するために小容積しか占めず、かくして、部屋の空間を他の目的のために有用にする。
【０００４】
書込みテーブルは椅子に設置されてきたが、これらの書込みテーブルは、類似した書込みテーブルを装備する椅子が格納のために互いに積み重ね得るように書込みテーブルを位置づけることを可能にする幾つかの態様で調節可能にさえ設置されていた。慣用の書込みテーブル多数の部品を備えており、かつテーブルの急且つ容易に閉じることを可能にするようには構成されていない。
【０００５】
類似した書込みテーブルを装備する椅子が積重ね得るように位置づけ得る可動書込みテーブルを提供することは必要である。最小部品を有し、かつ、最小の動きすなわち力をテーブルに加えることによって開いた位置から閉じた位置まで自動的に迅速に移動し得るこうした書込みテーブルに対する更なる要求がある。
【発明の開示】
【発明が解決しようとする課題】
【０００６】
類似した書込みテーブルを装備する椅子が積重ね得るように位置づけ得る可動書込みテーブルを提供することは必要である。最小部品を有し、かつ、最小の動きすなわち力をテーブルに加えることによって開いた位置から閉じた位置まで自動的に迅速に移動し得るこうした書込みテーブルに対する更なる要求がある。
【０００７】
本発明の目的は、開いた、すなわち実際の使用位置から、閉じた、すなわち格納位置に容易に下方に向く椅子のための書込みテーブルを提供することである。
【０００８】
本発明の更なる目的は、閉じた位置にある時に、機構が、その閉じた位置にある類似した書込みテーブルを装備した他の椅子を他方の頂部に１つ鉛直に積重ねることを可能にする、書込みテーブルを提供することである。
【課題を解決するための手段】
【０００９】
書込みテーブルは、誰かが、急な退出をする際に、書込みテーブルが取り付けられた椅子から急に立ち上がった時にはいつでも、書込みテーブルがその下側且つ閉じた位置まで自動的に降下することを可能にする機構を含む。
【００１０】
書込みテーブル機構は書込みテーブルをその鉛直位置から傾斜した位置まで自動的に移動させ、テーブルを各椅子の頂部に積重ねることを可能にする、鉛直積重ねを可能にする。
【発明を実施するための最良の形態】
【００１１】
図１に示す本発明の実施形態は、椅子に取り付け可能な可動書込みテーブルである。図１の書込みテーブルは、開いた、又は使用時の位置を示し、書込みテーブル１１０の底部はテーブル支持部１２０に取り付けられる。テーブル支持部１２０は２つの回転ヒンジ１３０に連結される。２つの回転ヒンジ１３０は、書込みテーブルを、図１に示すように水平に、あるいは、水平及び鉛直軸線の回りで回転可能にし、かつ図２、図３、図４及び図５に示すように位置づけることを可能にする。図１を参照すると、２つの回転ヒンジ１３０の他端は支持ブロック１４０に連結される。支持ブロック１４０の他端は椅子に取り付け可能であり、その結果、書込みテーブル１１０は、椅子に座った人の正面の開いた、あるいは水平な位置に位置づけ得る。
【００１２】
図２は書込みテーブル１１０の正面を示す。２つの回転ヒンジ１３０は、書込みテーブル１１０を鉛直軸線回りで回転可能にする。２つの回転ヒンジ１３０は、図５に示すように、書込みテーブル１１０を水平軸線回りで回転可能にもする。その結果、書込みテーブル１１０は閉じた、あるいは格納位置に位置づけ得る。テーブル１１０が図５に示すように配置されると、類似した書込みテーブルを装備する他の椅子は、閉じた位置に配置された時にも、一方を他方の頂部にした状態で、鉛直に積み重ね得る。書込みテーブル１１０、２つの回転ヒンジ１３０、及び支持ブロック１４０は、図１０Ｂ及び図１０Ｃに示すように、テーブルを他方の各々上に積み重ね可能にする、その鉛直位置から傾斜位置まで書込みテーブル１１０を自動的に移動可能にすることによって椅子の鉛直積み重ねを可能にする。
【００１３】
開いた位置にある書込みテーブル１１０を設置した椅子に座った人が椅子を退出したい時、図３は、テーブル１１０が鉛直に傾斜し、かつその閉じた位置まで降下可能になされる以前に、テーブル１１０が鉛直軸線の回りで水平な平面上で回転し得ることを示す。椅子に座った人から離れる方向に水平面上で一旦回転すると、書込みテーブル１１０は水平軸線の回りで鉛直平面上で回転し、かつ、次いで、図４に示すように、その閉じた位置まで降下し得る。図５は閉じ且つ鉛直位置にある状態の書込みテーブルの正面図である。
【００１４】
書込みテーブル１１０を装備する椅子を急な退出する人は、急な退出で生じ得るように、テーブルを押し上げるか、テーブルを押し下げるかの何れかによって、テーブル１１０を閉じることができる。２つの回転ヒンジ１３０は、上向き鉛直方向の力、外向き水平方向の力、あるいはこれらの何れかの組合せを加えることによって、開いた位置から閉じた位置まで書込みテーブル１１０を移動可能にする。これは、例えば、椅子に座った特定の人に適切な何れかの仕方で椅子を退出することによって人がテーブルを閉じることを可能にする。そして、人が椅子を退出する時のテーブルに加わる何れの力でも、テーブルをして、開いた位置から閉じた位置まで自動的に移動せしめ得る。
【００１５】
図６は書込みテーブルの側断面図である。書込みテーブル１１０は、水平面に位置づけられた、開いた位置で示されている。書込みテーブル１１０は、第１空洞１９０を含む、テーブル支持部１２０に取り付けられる。２つの回転ヒンジ１３０の一端は第１空洞１９０に取り付けられ、かつ制止ネジ１５０によってテーブル支持部１２０に取り付けられる。書込みテーブル１１０は、位置決めピン１６０及びばね１６５によって開いた位置に保持される。２つの回転ヒンジ１３０の他端は第２空洞１９５を含む。支持ブロック１４０は２つの回転ヒンジ１３０の第２空洞１９５に取り付けられ、かつ閉鎖ネジ１７０によって固定される。端部キャップネジ１８０は閉鎖ネジ１７０上に設置される。
【００１６】
図７Ａは支持ブロック１４０の側面図を示す。また、図７Ｂは支持ブロック１４０の断面図である。図７Ａを参照すると、支持ブロック１４０は第１端部７３５と、第２閉鎖スタッド７２０及び第３閉鎖スタッド７３０として知られているような２つの閉鎖スタッドを有する。支持ブロック１４０の第１端部７３５は、図７Ｄに示す、２つの回転ヒンジ１３０の第２空洞内に挿入する。第１対向閉鎖スタッド７４０及び第２対向スタッド７５０は、２つの回転ヒンジ１３０の第２空洞１９５の内部に設置される。第２閉鎖スタッド７２０及び第３閉鎖スタッド７３０は、第１対向閉鎖スタッド７４０及び第２対向閉鎖スタッド７５０と接触し、その結果、２つの回転ヒンジ１３０は、支持ブロック１４０が２つの回転ヒンジ１３０に取り付けられる時に水平軸線の回りに回転することができる。閉鎖スタッド及び対向閉鎖スタッドは、これらの閉鎖スタッド及び対向閉鎖スタッドが互いに接触する時に書込みテーブルの運動の範囲を制限するように使用される。
【００１７】
図７Ｃは、第１閉鎖スタッド７１０を具備する２つの回転ヒンジ１３０の側断面図を示す。第１閉鎖スタッド７１０は、図６に示すテーブル支持部１２０の第１空洞１９０内に挿入される。図８Ｂは、第１空洞１９０及びスロットが形成された穴８１０を形成した、書込みテーブル支持部１２０の底断面図を示す。２つの回転るヒンジ１３０は、第１閉鎖スタッド７１０がスロットが形成された穴８１０内に挿入されるように、第１空洞１９０内に挿入される。閉鎖スタッド７１０及びスロットが形成された穴８１０配置構成は、書込みテーブル１３０を、鉛直軸線の回りに回転可能にし、書込みテーブル１３０の動きをスロットが形成された穴８１０の長さに対応する位置に制限する。図７Ｅは、２つの回転ヒンジ１３０及び第１閉鎖スタッド７１０の平面図である。
【００１８】
図８Ａは、書込みテーブル支持部１２０、制止ネジ１５０、及び第１空洞１９０の外郭を示す想像線の側断面図を示す。書込みテーブル・カップリング８３０はテーブル支持部１２に一体化され、かつ書込みテーブル１３０をテーブル支持部１２０上に設置するために使用される。書込みテーブル１３０は留め具、テーブル支持部１２０内に位置するネジ穴８２０を貫通して位置づけられ、かつ図８Ｂに示されるように、好ましくはネジによってテーブル支持部に固定される。
【００１９】
図１０Ａは、書込みテーブル１１０、２つの回転ヒンジ１３０、テーブル支持部１２０、及び積み重ね可能な椅子に取り付けた支持ブロック１４０の正面図である。書込みテーブル１１０はテーブル支持部１２０、及びテーブル支持部１２０の他方の側部に連結された２つの回転ヒンジ１３０に連結する。２つの回転ヒンジ１３０は、積み重ね可能な椅子に取り付けられる、支持ブロック１４０に連結される。書込みテーブル１１０が図１０Ａに示すように閉じた位置にある時に、類似する書込みテーブルを装備する椅子は図１０Ｂに示すように鉛直に積み重ね得る。２つの回転ヒンジ１３０は、支持ブロック１４０に隣接して位置づけられるように、書込みテーブル１１０を鉛直及び水平軸線の回りに回転可能にする。水平及び鉛直位置決めは、類似した書込みテーブルを装備する椅子が図１０Ｂ及び図１０Ｃに示すように鉛直に積重ねられ得るように書込みテーブル１１０を位置付け可能にする。
【００２０】
図１１Ａは、書込みテーブル１１０及び積み重ね可能な椅子の側面図である。図１１Ｂは、支持ブロック１４０を想像線で示す書込みテーブル１１０及び積み重ね可能な椅子の側面図である。図１１Ａ及び図１１Ｂの書込みテーブル１１０は閉じた位置で示されている。類似する書込みテーブルを装備する第２椅子が第１椅子上に鉛直に積重ねられると、第２椅子の書込みテーブルは傾斜位置として知られている位置まで僅かに回転し、その結果、書込みテーブルは第１椅子の書込みテーブルの頂部に位置づけられる。２つ以上の鉛直な積重ねは、図１０Ｂに示すように、これらの協働する書込みテーブルが、一方が他方の頂部になった状態に入れ子になることを可能にする。
【００２１】
当業者は、上述した或る実施形態に関する検討及び好ましい実施形態は例示のみであり、従って、特許請求の範囲によって規定される、本発明の精神及び範囲を限定するものではないことを理解する。
【図面の簡単な説明】
【００２２】
【図１】開いた位置の本発明のテーブルの一実施形態の側描写図である。
【図２】実施形態の側面図である。
【図３】開した位置における実施形態の平面図である。
【図４】閉じた位置にある実施形態の側面図である。
【図５】閉じた位置にある実施形態の正面図である。
【図６】実施形態の側断面図である。
【図７】実施形態の支持ブロックの側面図及び正面断面図、２つの回転ヒンジの側断面図、正面断面図及び平面図である。
【図８】実施形態の書込みテーブル支持部の側断面図及び底断面図である。
【図９】実施形態の書込みテーブルの平面図である。
【図１０Ａ】積み重ね可能な椅子に取り付けられた書込みテーブルの正面図である。
【図１０Ｂ】各々が書込みテーブルを装備した多数の積み重ねられた椅子の正面図である。
【図１１Ａ】積み重ね可能な椅子に取り付けられた書込みテーブルの側面図である。
【図１１Ｂ】積み重ね可能な椅子に取り付けられた書込みテーブルの側断面図である。
【図１１Ｃ】各々が書込みテーブルを装備した多数の積み重ねられた椅子の側面図である。
【符号の説明】
【００２３】
１１０  書込みテーブル
１２０  テーブル支持部
１３０  回転ヒンジ
１４０  支持ブロック
１５０  制止ネジ
１６０  位置決めピン
１７０  閉鎖ネジ
１８０  端部キャップネジ
１９０  第１空洞
７１０  第１閉鎖スタッド
８１０  穴
【図１】
2006116312.tif 000003
【図２】
2006116312.tif 000004
【図３】
2006116312.tif 000005
【図４】
2006116312.tif 000006
【図５】
2006116312.tif 000007
【図６】
2006116312.tif 000008
【図７】
2006116312.tif 000009
【図８】
2006116312.tif 000010
【図９】
2006116312.tif 000011
【図１０Ａ】
2006116312.tif 000012
【図１１Ａ】
2006116312.tif 000013
【図１１Ｂ】
2006116312.tif 000014
【図１１Ｃ】
2006116312.tif 000015
【図１０Ｂ】
2006116312.tif 000016
【外国語明細書】
2006116312.tif 000017
2006116312.tif 000018
2006116312.tif 000019
2006116312.tif 000020
2006116312.tif 000021
2006116312.tif 000022
2006116312.tif 000023
2006116312.tif 000024
2006116312.tif 000025
2006116312.tif 000026
2006116312.tif 000027
2006116312.tif 000028
2006116312.tif 000029
2006116312.tif 000030
2006116312.tif 000031
2006116312.tif 000032
2006116312.tif 000033
2006116312.tif 000034
2006116312.tif 000035
2006116312.tif 000036
2006116312.tif 000037
2006116312.tif 000038